(57)【要約】      （修正有）【課題】着用者の下顎を所望の位置に保持して口の開きを十分に抑制することができる鼻呼吸促進具を提供する。【解決手段】着用者の口を覆う口カバー１０と、口カバー１０に連結され、着用者の顎下を覆う顎下カバー２０と、口カバー１０を着用者の頭部に保持する保持部３０と、を具備する鼻呼吸促進具１であって、顎下カバー２０と口カバー１０との間に、着用者の下顎の先端部を係止するための開口部４１が形成されている。【選択図】図１
0003232878.tif 000002
【実用新案登録請求の範囲】
【請求項１】
着用者の口を覆う口カバーと、
前記口カバーに連結され、前記着用者の顎下を覆う顎下カバーと、
前記口カバーを前記着用者の頭部に保持する保持部と、
を具備する鼻呼吸促進具であって、
前記顎下カバーと前記口カバーとの間に、前記着用者の下顎の先端部を係止するための開口部が形成されていること、
を特徴とする鼻呼吸促進具。
【請求項２】
前記顎下カバーが、前記下顎の先端部の左右両側において前記口カバーに連結され、前記下顎の先端部よりも首側において交差する一対の生地片から構成されること、
を特徴とする請求項１に記載の鼻呼吸促進具。
【請求項３】
前記保持部が、前記口カバーと前記着用者の耳との間にかけ渡される紐、及び、前記紐の長さを調整する調整具、を含むこと、
を特徴とする請求項１又は２に記載の鼻呼吸促進具。
【考案の詳細な説明】
【技術分野】
【０００１】
本考案は、就寝時等に着用される鼻呼吸促進具に関する。
【背景技術】
【０００２】
例えば特許文献１（実用新案登録第３２１２４６７号公報）は、鼻呼吸を円滑に行うべく、口カバー部の下辺と顎下カバー部の上辺とを接合して一体化し、立体的に構成する布製口カバーマスクを開示している。
【先行技術文献】
【特許文献】
【０００３】
【特許文献１】実用新案登録第３２１２４６７号公報
【考案の概要】
【考案が解決しようとする課題】
【０００４】
しかし、このような口カバーマスクでは、下顎を所望の位置に保持できず、口の開きを十分に抑制できないことから、口呼吸の改善にはなお課題がある。
【０００５】
そこで、本考案の目的は、着用者の下顎を所望の位置に保持して口の開きを十分に抑制することができる鼻呼吸促進具を提供することにある。
【課題を解決するための手段】
【０００６】
上記の課題を解決すべく、本考案は、
着用者の口を覆う口カバーと、
前記口カバーに連結され、前記着用者の顎下を覆う顎下カバーと、
前記口カバーを前記着用者の頭部に保持する保持部と、
を具備する鼻呼吸促進具であって、
前記顎下カバーと前記口カバーとの間に、前記着用者の下顎の先端部を係止するための開口部が形成されていること、
を特徴とする鼻呼吸促進具
を提供する。
【０００７】
本考案の鼻呼吸促進具では、前記顎下カバーが、前記下顎の先端部の左右両側において前記口カバーに連結され、前記下顎の先端部よりも首側において交差する一対の生地片から構成されること、が好ましい。
【０００８】
また、本考案の鼻呼吸促進具では、前記保持部が、前記口カバーと前記着用者の耳との間にかけ渡される紐、及び、前記紐の長さを調整する調整具、を含むこと、が好ましい。
【考案の効果】
【０００９】
本考案の鼻呼吸促進具によれば、着用者の下顎を所望の位置に保持し、口の開きを十分に抑制することができる。
【図面の簡単な説明】
【００１０】
【図１】本実施形態に係る鼻呼吸促進具１の概略図である。
【図２】鼻呼吸促進具１の着用例を示す図である。
【図３】図２とは別の角度から見た、鼻呼吸促進具１の着用例を示す図である。
【考案を実施するための形態】
【００１１】
以下、本考案に係る鼻呼吸促進具の一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１２】
鼻呼吸促進具１は、就寝時等に着用されて、着用者９０の鼻呼吸を促すマスクである（図２及び図３参照）。図１に示すように、鼻呼吸促進具１は、口カバー１０、顎下カバー２０及び保持部３０を具備する。
【００１３】
口カバー１０は、着用者９０の口を覆う略矩形の布体である。口カバー１０は、シルクなどの肌触りのよい布地で作製されることを想定しているが、不織布などの他の生地で作製されてもよい。口カバー１０は、鼻呼吸が容易になるように、着用者９０の鼻を覆わないことが好ましい（図２参照）。
【００１４】
図３に示すように、顎下カバー２０は、口カバー１０に連結されて、着用者９０の顎下を覆う布体である。顎下カバー２０は、シルクなどの布地で作製されることを想定しているが、これに限られるものではない。
【００１５】
顎下カバー２０は、口カバー１０との間に、着用者９０の下顎の先端部（つまりオトガイ）９２を係止するための開口部４１を形成する。あるいは、開口部４１は、着用者９０の下顎の先端部９２を露出させると言ってもよい。
【００１６】
より具体的には、顎下カバー２０は、交差する一対の生地片２１，２２から構成されることが好ましい。生地片２１，２２は、着用者９０の下顎の先端部９２の左右両側において口カバー１０に連結され、下顎の先端部９２の奥側（首側）において互いに交差している。
【００１７】
保持部３０は、口カバー１０を着用者９０の頭部９１に保持する。保持部３０は、簡易な着用及び取り外しの観点から、口カバー１０と着用者９０の耳９４との間にかけ渡される紐３１、及び、紐３１の長さを調節する調整具３２、を含むことが好ましい。ただし、保持部３０は、紐３１は、頭部９１の後ろ側を亘るように取り付けられてもよい。ここで、紐３１としては伸縮性のゴムを想定し、また調整具３２としては樹脂製の環状体ないし筒状体を想定しているが、これに限られるものではない。
【００１８】
次いで、鼻呼吸促進具１の使用方法について説明する。
着用者９０は、就寝時等に鼻呼吸促進具１を着用する。つまり、着用者９０は、自らの口を口カバー１０で、顎下９３を顎下カバー２０で覆うことで、鼻呼吸促進具１を着用する。このとき、着用者９０の下顎の先端部９２は、口カバー１０と顎下カバー２０との間から露出している。
【００１９】
鼻呼吸促進具１の着用状態において、顎下カバー２０は着用者９０の顎下９３を支え、着用者９０の下顎が開いて口が開くことを抑制することができる。つまり、着用者９０の下顎の先端部９２は、口カバー１０と顎下カバー２０との間の開口部４１に係止し、これにより、鼻呼吸促進具１内で下顎の先端部９２の位置がずれることを抑制することができる。これにより、鼻呼吸促進具１は、着用者９０の鼻呼吸をサポートないし促進することができる。
【００２０】
また、口カバー１０が、着用者９０の口を覆うことで、着用者９０の口内の乾燥を抑制し、着用者９０に対して爽やかな目覚めを提供することができる。
【００２１】
また、保持部３０を構成する紐３１が伸縮性を有し、調整具３２により調整可能であることで、着用者９０の身体サイズを問わず、着用者９０の耳９４が痛くなりにくい。
【００２２】
以上、本考案の代表的な実施形態について説明したが、本考案はこれらに限定されるものではなく、種々の設計変更が可能であり、それらも本考案に含まれる。
【符号の説明】
【００２３】
１  鼻呼吸促進具
１０  口カバー
２０  顎下カバー
３０  保持部
４１  開口部
９０  着用者
９２  下顎の先端部（オトガイ）
【図１】
0003232878.tif 000003
【図２】
0003232878.tif 000004
【図３】
0003232878.tif 000005